(57)【要約】      （修正有）【課題】装飾効果がよい景観建築物の波状軽量鋼キャノピー構造を提供する。【解決手段】景観建築物の波状軽量鋼キャノピー構造は、キャノピーキールと曲面板３とを備え、キャノピーキールは、ブラケットと連結ロッドとを備え、ブラケットは横方向に間隔をおいて本体構造１の外側面に連結され、ブラケットは直角台形を呈し、ブラケットの頂部の内側には、縦方向支柱が設置されており、連結ロッドは、隣接する２つのブラケットの間に１組ずつ配置され、本体構造には、ブラケットと対応する位置に鉛直方向支柱が設置されており、鉛直方向支柱は、縦方向支柱の下方に位置し、隣接する鉛直方向支柱の間に横棒が連結されており、曲面板は、キャノピーキールの頂部を覆い、曲面板の鉛直方向の断面は波線状を呈し、連結ロッドは、曲面板とフィットする曲線状であり、曲面板の底部において支持されており、曲面板の内縁は、縦方向支柱の内端を越えて鉛直方向支柱に連結される。【選択図】図１
0003234186.tif 000002
【実用新案登録請求の範囲】
【請求項１】
景観建築物の波状軽量鋼キャノピー構造であって、本体構造（１）の前側面に設置され、ドア開口部の上方に位置し、キャノピーキール（２）と曲面板（３）とを備え、前記キャノピーキール（２）は、ブラケット（２.１）と連結ロッド（２.２）とを備え、前記ブラケット（２.１）は１組あり、横方向に間隔をおいて本体構造（１）の外側面に連結され、且つブラケット（２.１）は、それぞれ直角台形を呈し、前記ブラケット（２.１）の頂部の内側には、縦方向支柱（４）が設置されており、前記連結ロッド（２.２）は、各隣接する２つのブラケット（２.１）の間に１組ずつ配置され、且つ各組の連結ロッド（２.２）は間隔をおいて平行に配置され、前記本体構造（１）には、ブラケット（２.１）と対応する位置に鉛直方向支柱（５）が設置されており、前記鉛直方向支柱（５）は、縦方向支柱（４）の下方に位置し、且つ隣接する鉛直方向支柱（５）の間に横棒（６）が連結されており、前記曲面板（３）は、キャノピーキール（２）の頂部を覆い、且つ曲面板（３）の鉛直方向の断面は波線状を呈し、前記連結ロッド（２.２）は、曲面板（３）とフィットする曲線状のロッドであり、且つブラケットは、曲面板（３）の底部に配置されており、前記曲面板（３）の内縁は、縦方向支柱（４）の内端を越えて鉛直方向支柱（５）に連結され、且つ曲面板（３）とキャノピーキール（２）とが接触する部分にゴムガスケット（７）が設けられている、
景観建築物の波状軽量鋼キャノピー構造。
【請求項２】
前記本体構造（１）の前方では、ドア開口部の両側にそれぞれ装飾柱（８）が設置されており、前記波状軽量鋼キャノピー構造の両端は、両側の装飾柱（８）とそれぞれ連結されている、
請求項１に記載の景観建築物の波状軽量鋼キャノピー構造。
【請求項３】
隣接するブラケット（２.１）の間の間隔は４ｍ〜５ｍであり、前記ブラケット（２.１）は、長手方向鉛直辺（２.１.１）と、短手方向鉛直辺（２.１.２）と、底部水平辺（２.１.３）と、頂部傾斜辺（２.１.４）とを含み、前記長手方向鉛直辺（２.１.１）は、本体構造（１）と連結され、前記頂部傾斜辺（２.１.４）は、曲面板（３）の底部において支持されている、
請求項１に記載の景観建築物の波状軽量鋼キャノピー構造。
【請求項４】
同一の組において隣接する連結ロッド（２.２）の間の間隔は５５０ｍｍ〜６５０ｍｍである、
請求項１に記載の景観建築物の波状軽量鋼キャノピー構造。
【請求項５】
前記曲面板（３）とキャノピーキール（２）の間は、アングル（９）を通して連結され、横方向に隣接するアングル（９）の間の間隔は３００ｍｍ〜４００ｍｍであり、斜め方向に隣接するアングル（９）の間の間隔は、同一の組において隣接する連結ロッド（２.２）の間の間隔に適合し、５５０ｍｍ〜６５０ｍｍである
請求項４に記載の景観建築物の波状軽量鋼キャノピー構造。
【請求項６】
前記縦方向支柱（４）の長さは４００ｍｍ〜５００ｍｍであり、縦方向支柱（４）と鉛直方向支柱（５）の間の間隔は５０ｍｍ〜１００ｍｍである、
請求項１に記載の景観建築物の波状軽量鋼キャノピー構造。
【考案の詳細な説明】
【技術分野】
【０００１】
本考案は、建築工学構造の分野に関し、特に景観建築物の波状軽量鋼キャノピー構造に関する。
【背景技術】
【０００２】
従来の金属キャノピーの多くはカラープレス型鋼板キャノピーを用いている。このようなキャノピー構造は、一般的に平面形式に作られ、機能上のニーズを満たすことしかできず、装飾効果は普通である。また、従来のキャノピーのオーバーハングの長さは制限されており、長いオーバーハングを実現するにはテンションバーを設置する必要があり、装飾効果に影響を与える。
【考案の概要】
【考案が解決しようとする課題】
【０００３】
本考案は、景観建築物の波状軽量鋼キャノピー構造を提供し、従来のキャノピー構造は、装飾効果が悪く、造型が単調であり、オーバーハングタイバーが装飾効果に影響を与えるという技術的問題を解決することを目的とする。
【課題を解決するための手段】
【０００４】
上述の目的を実現するため、本考案は以下の技術方案を採用する。
【０００５】
景観建築物の波状軽量鋼キャノピー構造であって、本体構造の前側面に設置され、ドア開口部の上方に位置し、キャノピーキールと曲面板とを備え、前記キャノピーキールは、ブラケットと連結ロッドとを備え、前記ブラケットは１組あり、横方向に間隔をおいて本体構造の外側面に連結され、ブラケットは、それぞれ直角台形を呈し、前記ブラケットの頂部の内側には、縦方向支柱が設置されており、前記連結ロッドは、各隣接する２つのブラケットの間に１組ずつ配置され、各組の連結ロッドは間隔をおいて平行に配置され、前記本体構造には、前記ブラケットと対応する位置に鉛直方向支柱が設置されており、前記鉛直方向支柱は、縦方向支柱の下方に位置し、且つ隣接する鉛直方向支柱の間に横棒が連結されており、前記曲面板は、キャノピーキールの頂部を覆い、且つ曲面板の鉛直方向の断面は波線状を呈し、前記連結ロッドは、曲面板とフィットする曲線状のロッドであり、且つ曲面板の底部において支持されており、前記曲面板の内縁は、縦方向支柱の内端を越えて鉛直方向支柱に連結され、且つ曲面板とキャノピーキールとが接触する部分にゴムガスケットが設けられている。
【０００６】
好ましくは、前記本体構造の前方では、ドア開口部の両側にそれぞれ装飾柱が設置されており、前記波状軽量鋼キャノピー構造の両端は、両側の装飾柱とそれぞれ連結されている。
【０００７】
好ましくは、隣接するブラケットの間の間隔は４ｍ〜５ｍであり、前記ブラケットは、長手方向鉛直辺と、短手方向鉛直辺と、底部水平辺と、頂部傾斜辺とを含み、前記長手方向鉛直辺は、本体構造と連結され、前記頂部傾斜辺は、曲面板の底部において支持されている。
【０００８】
好ましくは、前記曲面板とキャノピーキールの間は、アングルを通して連結され、横方向に隣接するアングルの間の間隔は３００ｍｍ〜４００ｍｍであり、斜め方向に隣接するアングルの間の間隔は５５０ｍｍ〜６５０ｍｍである。
【０００９】
好ましくは、前記縦方向支柱の長さは４００ｍｍ〜５００ｍｍであり、縦方向支柱と鉛直方向支柱の間の間隔は５０ｍｍ〜１００ｍｍである。
【考案の効果】
【００１０】
従来技術と比べて、本考案は以下の特徴と有益な効果を有する。
１.本考案におけるキャノピーは、弧状双曲設計を用いており、キャノピーにおける曲面板の鉛直方向の断面は波線状を呈し、連結ロッドは、曲面板にフィットする曲線状のロッドであり、弧状のキャノピーに受力支持を提供し、構造的な受力要求を満たし、従来のキャノピー構造は装飾効果が悪く、造型が単調であり、オーバーハングテンションバーが装飾効果に影響を与える技術的問題を解決する。
【００１１】
２.本考案におけるキャノピーは両側に装飾柱を連結し、装飾柱の造型とキャノピーの造型とはマッチングし、キャノピーに支持を提供するだけでなく、構造的な受力要求を満たし、キャノピー全体に装飾効果を提供する。
【００１２】
３.本考案における曲面板は、１組の曲面板ユニットをつなぎ合わせたものであり、曲面板ユニットの間のつなぎ目を溶接した後に研磨することで、表面に隙間のない、完璧な双曲面造型キャノピーの両側を実現する。また、曲面板とキャノピーキールとの連結は曲面板の内表面に設置され、外表面は継ぎ目のない滑らかな曲面であり、外装効果に優れている。
【図面の簡単な説明】
【００１３】
以下、添付図面を参照して、本考案についてさらに詳細な説明を行う。
【図１】本考案に係る波状軽量鋼キャノピー構造を本体構造の前側面に配置した上面図である。
【図２】本考案に係るキャノピーキールが曲面板の底部において支持されている構造模式図である。
【図３】本考案に係る波状軽量鋼キャノピー構造を本体構造に連結した側面構造模式図である。
【図４】本考案に係る曲面板とキャノピーキールとの連結節目の構造模式図である。
【図５】本考案に係るキャノピーキールの構造模式図である。
【考案を実施するための形態】
【００１４】
図１〜５に示すように、このような景観建築物の波状軽量鋼キャノピー構造は、本体構造１の前側面に設置され、ドア開口部の上方に位置し、キャノピーキール２と曲面板３とを備え、前記キャノピーキール２は、ブラケット２.１と連結ロッド２.２とを備え、前記ブラケット２.１は１組あり、横方向に間隔をおいて本体構造１の外側面に連結され、且つブラケット２.１は、それぞれ直角台形を呈し、前記ブラケット２.１の頂部の内側には、縦方向支柱４が設置されており、前記連結ロッド２.２は、各隣接する２つのブラケット２.１の間に１組ずつ配置され、且つ各組の連結ロッド２.２は間隔をおいて平行に配置され、前記本体構造１には、ブラケット２.１と対応する位置に鉛直方向支柱５が設置されており、前記鉛直方向支柱５は、縦方向支柱４の下方に位置し、且つ隣接する鉛直方向支柱５の間に横棒６が連結されており、前記曲面板３は、キャノピーキール２の頂部を覆い、且つ曲面板３の鉛直方向の断面は波線状を呈し、前記連結ロッド２.２は、曲面板３とフィットする曲線状のロッドであり、且つ曲面板３の底部において支持されており、前記曲面板３の内縁は、縦方向支柱４の内端を越えて、且つ鉛直方向支柱５に連結され、曲面板３とキャノピーキール２とが接触する部分にゴムガスケット７が設けられている。
【００１５】
本実施例において、前記本体構造１の前方では、ドア開口部の両側にそれぞれ装飾柱８が設置されており、前記波状軽量鋼キャノピー構造の両端は、両側の装飾柱８とそれぞれ連結されている。
【００１６】
本実施例において、隣接するブラケット２.１の間の間隔は４ｍ〜５ｍであり、前記ブラケット２.１は、長手方向鉛直辺２.１.１と、短手方向鉛直辺２.１.２と、底部水平辺２.１.３と、頂部傾斜辺２.１.４とを含み、前記長手方向鉛直辺２.１.１は、本体構造１と連結され、前記頂部傾斜辺２.１.４は、曲面板３の底部において支持されている。
【００１７】
本実施例において、同一の組において隣接する連結ロッド（２.２）の間の間隔は５５０ｍｍ〜６５０ｍｍである。
【００１８】
本実施例において、前記曲面板３とキャノピーキール２の間は、アングル９を通して連結され、横方向に隣接するアングル９の間の間隔は３００ｍｍ〜４００ｍｍであり、斜め方向に隣接するアングル９の間の間隔は、同一の組において隣接する連結ロッド２.２の間の間隔に適合し、５５０ｍｍ〜６５０ｍｍである。
【００１９】
本実施例において、前記縦方向支柱４の長さは４００ｍｍ〜５００ｍｍであり、縦方向支柱４と鉛直方向支柱５の間の間隔は５０ｍｍ〜１００ｍｍである。
【００２０】
本実施例において、前記曲面板３は、１組の曲面板ユニットをつなぎ合わせたものであり、前記曲面板ユニットは、アルミニウム板を用いて作製されており、アルミニウム板の間のつなぎ目を溶接した後に研磨することで、表面に隙間のない、完璧な双曲面造型を実現することができる。
【００２１】
本実施例において、１組のブラケット２.１の高さは同じでなく、各ブラケット２.１の頂部傾斜辺２.１.４は、いずれも曲面板３の底部において支持されている。
【００２２】
本実施例において、最頂部に位置する連結ロッド２.２と底部に位置する連結ロッド２.２の断面の大きさは、中間部の連結ロッド２.２の断面よりも大きい。
【００２３】
本実施例において、前記長手方向鉛直辺２.１.１の高さは３.３ｍであり、短手方向鉛直辺２.１.２の高さは０.６ｍ〜０.７ｍであり、底部水平辺２.１.３の長さは１.8ｍ〜１.９ｍである。
【００２４】
上述の実施例は、具体的な実施形態を網羅したものでなく、他の実施形態もあってもよく、上述の実施形態は、考案を説明することを目的とし、考案の保護範囲を制限するものではなく、本考案を簡単に変更して得られた応用は、本考案の保護範囲に含まれる。
【符号の説明】
【００２５】
１  本体構造、
２  キャノピーキール、
２.１  ブラケット、
２.１.１  長手方向鉛直辺、
２.１.２  短手方向鉛直辺、
２.１.３  底部水平辺、
２.１.４  頂部傾斜辺、
２.２  連結ロッド、
３  曲面板、
４  縦方向支柱、
５  鉛直方向支柱、
６  横棒、
７  ゴムガスケット、
８  装飾柱、
９  アングル。
【図１】
0003234186.tif 000003
【図２】
0003234186.tif 000004
【図３】
0003234186.tif 000005
【図４】
0003234186.tif 000006
【図５】
0003234186.tif 000007